(57)【要約】【課題】  細いパイプ材を用いながらも家具用の脚装置として十分な強度を実現し、かつ、細いパイプ材を用いて斬新なデザインの脚装置とすることにより、従来にない斬新な形態の家具を形成することを可能にする脚装置を提供する。【解決手段】  細いパイプ材によって正面視縦長乃至は細い略二等辺三角形をなす底辺部と該底辺部から立ち上がった左右の斜辺部と該斜辺部の上端に延長形成した垂直部を備えた主脚部材と、細いパイプ材により前記主脚部材の1本の斜辺部に類似した形態で上端側に垂直部を有する斜辺部状の補助脚部材とを備え、前記３つの垂直部を、それらの頂点が平面視略正三角形の頂点をなすように結束し、結束された３つの垂直部に連なる主脚部材の斜辺部と補助脚部材が放射状に拡がって自立するように形成した。【選択図】図１
2017064404.tif 000002
【特許請求の範囲】
【請求項１】
細いパイプ材によって正面視縦長乃至は細い略二等辺三角形をなす底辺部と該底辺部から立ち上がった左右の斜辺部と該斜辺部の上端に延長形成した垂直部を備えた主脚部材と、前記パイプ材と同じパイプ材により前記主脚部材の1本の斜辺部に類似した形態で上端側に垂直部を有する斜辺部状の補助脚部材とを備え、前記３つの垂直部を、それらの頂点が平面視略正三角形の頂点をなすように位置付けて結束し、結束された３つの垂直部に連なる主脚部材の斜辺部と補助脚部材が放射状に拡がって自立するように形成したことを特徴とする家具の脚装置。
【請求項２】
前記３つの垂直部の上端部か、又は前記垂直部の延長上端部に、物載せ用の天板を設けて物載せ台に形成する請求項１に記載の脚装置。
【請求項３】
前記３つの垂直部を上方へ延長した上部か、又は前記垂直部に、その平面形態と同じ３本の直線状パイプ材を接続した上部にコート等の掛け部を形成して衣服掛けに形成する請求項１に記載の脚装置。
【請求項４】
３本のパイプ材を、平面視略正三角形の頂点をなすように結束する略三角状の結束部材によって溶接接続し、その結束部材の全体をパイプ材の外観を呈する樹脂製カバーによって被覆した請求項１〜３のいずれかに記載の脚装置。
【請求項５】
結束部材に被覆する樹脂製カバーは、その端末をパイプ材の外形に沿う形状に形成した請求項４に記載の脚装置。
【請求項６】
下面側を溝状に開口した樹脂製カバーは、結束部材を前記溝状開口に嵌め込むように当該結束部材の上から被覆した請求項４又は５に記載の脚装置。
【請求項７】
主脚部材の略二等辺三角形をなす底辺部と斜辺部の比は、１：１．２〜１：１．３である請求項１〜６のいずれかに記載の脚装置。
【請求項８】
家具の左右における一方側に配置される主脚部材であって細いパイプ材により正面視縦長乃至は細い略二等辺三角形をなす底辺部と該底辺部から立ち上がった左右の斜辺部と該斜辺部の上端に延長形成した垂直部を備えた主脚部材と、当該家具の左右における他方側に配置される第２主脚部材であって前記主脚部材の底辺部を除去した形態で左右の斜辺部と該斜辺部の上端に延長形成した垂直部を有する第２主脚部材とを備え、この家具の自立を支持することを特徴とする家具の脚装置。
【請求項９】
左右に離間して配置される主脚部材の一方の垂直部と第２主脚部材の一方の垂直部とが、その一方の垂直部の間に、左右の一方の垂直部に接続される左右の一方のサイドフレームと該左右の一方のサイドフレームに接続される水平な一方のアッパーフレームを備えると共に、前記主脚部材の他方の垂直部と前記第２主脚部材の他方の垂直部とが、その他方の垂直部の間に、左右の他方の垂直部に接続される左右の他方のサイドフレームと該他方のサイドフレームに接続される水平な他方のアッパーフレームを備えることにより、前記２つの脚部材と前記各フレームの構成部材であるパイプ材を、いわば一筆書き形態を呈する脚付きフレームに形成する請求項８に記載の家具の脚装置。
【請求項１０】
左右に離間して配置されるパイプ材による主脚部材と第２主脚部材における夫々の２つの斜辺部を、略二等辺三角形の頂点部位で結合し、左右の結合部から夫々に垂直に立ち上げた立上げ垂直部を前記パイプ材と同じパイプ材１本による左右のサイドフレームとし、該サイドフレームに１本パイプ材の水平なアッパーフレームを接続して脚付きフレームを形成することを特徴とする家具の脚装置。
【請求項１１】
第２主脚部材に代えて主脚部材を用いる請求項８〜１０のいずれかに記載の家具の脚装置。
【請求項１２】
主脚部材に代えて第２主脚部材を用いる請求項８〜１０のいずれかに記載の家具の脚装置。
【請求項１３】
主脚部材の底辺部に、該底辺部の軸を回転軸とするキャスタ用の複数の車輪を設け、
第２主脚部材には前記車輪を転がり回転させて当該家具を移動させるためのハンドルを設けた請求項８〜１１のいずれかに記載の家具の脚装置。
【請求項１４】
天板の左右両側部を支持する天板支持脚を、細いパイプ材によって正面視縦長乃至は細い略二等辺三角形をなす底辺部と該底辺部から立ち上がった左右の斜辺部と該斜辺部の上端に延長形成した垂直部を備えた主脚部材の底辺部を除去した形態の第２主脚部材で形成すると共に、該左右の第２主脚部材における天板の前方側に位置した傾斜部の下端部を、天板の長さ方向に沿った連結部材で連結し、該連結部材に、その部材の軸を回転軸とする複数の車輪を設けたことを特徴とする家具の脚装置。

【発明の詳細な説明】
【技術分野】
【０００１】
本発明は、家具として斬新なデザインを実現するのに有用な家具用の脚装置に関する。
【背景技術】
【０００２】
脚を有する家具には、電話台のように物品を載せる天板を備えた物載せ家具、帽子，コート等を掛ける衣類掛家具、テーブル，デスク，カウンター等が備える天板上で作業等を行える机状家具、ホワイトボードや掲示板等のパネル体を備えたパネル家具などがある。
【０００３】
公知の家具に用いられる脚装置には、パイプ材や型材を脚支柱として利用した柱状脚装置、型材などにより形成される側面視略Ｌ状，Ｔ状，コ状等の形状脚装置、主要部が平板状に形成されたパネル状脚装置等がある。これらの形態の脚装置は、家具の種類を超えて適用するために必要な強度や組立性等が設定され、且つ、家具間で共通したコンセプトのデザインでシリーズ化され種々の家具に適用されている。
【０００４】
ところで、細い鋼棒で形成された家具の脚装置は知られているが、鋼棒製の脚装置は構成部材が細い鋼棒ゆえに部材の接続や結合はすべて溶接によらざるを得ない。このため鋼棒製の脚装置は重量が大きくなり、溶接部も外部から見えるため見栄えも良好でない。
【０００５】
一方、鋼棒より軽量の細いパイプ材を用いて様々な家具に適用できるようにデザインされた脚装置は、未だ少ない。その理由は、細いパイプ材であると簡潔な構造やシンプルな外観の脚装置に設計した場合、脚装置としての強度を確保しにくいこと、或は、パイプ材同士の接続や他の構成部材との接続や結合が容易ではないという面があるからと考えられる。
【０００６】
しかし、細いパイプ材であっても、物載せ台やコート掛、或は、テーブルやパネル家具等の上部本体を支持できる構造と十分な強度が確保され、かつ、デザインの共通化を図った細いパイプ材の脚装置が開発できれば、例えばオフィス家具の分野において斬新なデザインの脚装置を備えた家具を提供できると考えられる。
【発明の概要】
【発明が解決しようとする課題】
【０００７】
そこで本発明は、細いパイプ材を用いながらも家具用の脚装置として十分な強度を実現し、かつ、細いパイプ材を用いて斬新なデザインの脚装置とすることにより、従来にない斬新な形態の家具を形成することを可能にする脚装置を提供することを課題とする。
【課題を解決するための手段】
【０００８】
上記課題を解決することを目的としてなされた本発明第１の脚装置の構成は、細いパイプ材によって形成した正面から見て縦長又は細い二等辺三角形状をなす底辺部と該底辺部から立ち上がった斜辺部と該斜辺部の上端側に延長形成した垂直部とを備えた主脚部材と、該主脚部材の1本の斜辺部に類似した形態で上端側に垂直部を有する斜辺部状の補助脚部材とから成り、前記３つの垂直部をその上端が平面視略正三角形の頂点をなすように結束し、結束された３つの垂直部に連なる前記主脚部材の斜辺部と補助脚部材が放射状に拡がって自立するように形成したことを特徴とする。
上記二等辺三角形の底辺部と斜辺部の比は、一例として１：１．２〜１：１．３程度がデザイン上、並びに強度確保上も好ましいが、本発明はこの数値に限られるものではない。
【０００９】
本発明第１の脚装置は自立するから、前記3つの垂直部の上に、物載せ用天板を載架固定して電話台等の物載せ台を形成することが出来る。また、前記脚装置は、上部に帽子やコート等のフック等の掛止部を設けた３本のパイプ材を平面視略三角形状の頂点を通るように結束して形成したコート掛本体を、この脚装置の垂直部に接続してコート掛けを形成することができる。
【００１０】
上記の自立する第１の脚装置は、その垂直部を含む主脚部材を利用してホワイトボード等のパネル体を支持してパネル家具にするための本発明第２の脚装置を形成することができる。
すなわち、本発明第２の脚装置は、パネル体の一方の側を支持するために配置される前記脚装置の主脚部材と、前記主脚部材において底辺部を欠いた脚部材であって、前記パネル体の他方の側を支持するために配置される第２主脚部材とから成り、これら２つの脚部材によりパネル体の左右両側部を支持することにより当該パネル体を介して自立させることを特徴とする。なお、前記第２主脚部材に代えて前記主脚部材を用いることもできる。
【００１１】
上記第２の脚装置は、前記主脚部材と、その垂直部を上方に延長してホワイトボード等のパネル体の一側辺に対応した一側サイドフレームと、該一側サイドフレームの上端を水平に曲げて水平方向に延長し前記パネル体の上部辺に対応した水平なアッパーフレームと、該アッパーフレームの延長先端を下向きに垂直に曲げそこから垂下させて前記パネル体の他側辺に対応した他側サイドフレームと、該他側サイドフレームの下端部に接続した垂直部を有する第２主脚部材とを備えてパネル家具用の第１の脚付きフレームを形成することが出来る。
【００１２】
上記第１の脚付きフレームにおいては、主脚部材とその垂直部から延長した一側サイドフレームを第１の支柱部と、他側サイドフレームとその下端部に接続された垂直部と該垂直部を上端に備えた第２主脚部材を第２の支柱部と、そしてアッパーフレームを梁部と、それぞれ言うこともある。また、上記脚付きフレームでは、第2主脚部材に代えて主脚部材を用いることもある。
【００１３】
上記第１の脚付きフレームにおいても、構成部材には前述の自立する脚装置に用いた細いパイプ材と同径乃至略同径のパイプ材が用いられる。また、この脚付きフレームの主脚部材には、その底辺部に当該底辺部材を軸とする2個の車輪をパネル家具の移動用に設けている。この移動のために第２脚部材の斜辺部の上部（垂直部の下方）には、移動時のハンドルとなる部材が、第２主脚部材の２本のパイプ材を横断する方向で設けられている。
【００１４】
本発明において、上端に垂直部を有する２本の斜辺部で形成される第２主脚部材の発展型として、例えば、テーブル天板の左右側に配置する２個の第２主脚部材によって当該天板の左右側部を下面から支持する第３の脚装置を形成することが出来る。第３の脚装置では、天板の左右側に位置した斜辺部において当該天板の前方側（又は後方側）に位置した斜辺部の下端部を、水平部材（天板の長辺に平行なパイプ材）で接続一体化し、この水平部材に、前記段落００１３で述べた移動用の車輪を付けた形態とすることができる。この車輪は、テーブルの移動時に、車輪の無い側の天板の縁を手で持上げてテーブルを移動させるためのものである。
【００１５】
本発明では、上記の第１の脚装置、第２の脚装置、第３の脚装置、及び第１の脚付きフレームの構成部材である主脚部材と第２主脚部材とを用いて第４の脚装置と第２の脚付きフレームを形成できる。
すなわち、第４の脚装置には、１つの主脚部材と１つの第２主脚部材を用いた脚装置、
２つの主脚部材を用いた脚装置、２つの第２主脚部材を用いた脚装置がある。第２の脚付きフレームは、主脚部材と第２主脚部材を用いる点で前記第１の脚付きフレームと共通するが、左右のサイドフレームとこれらサイドフレームの上端部に架設形態で位置する水平なアッパーフレームがシングル(1本)パイプ材で形成される点で異なる。因みに第１の脚付きフレームは前記サイドフレームとアッパーフレームがダブル(2本)パイプ材による構成である。
第４の脚装置において、使用する主脚部材、及び／又は、第２主脚部材は、それらの４本の垂直部を、一纏め状態で固定できる支持部材に結束的に固定し、前記支持部材をテーブル等の天板下面に取付けることにより、前記主脚部材、及び／又は、第２主脚部材が天板支持脚として形成される。
第２の脚付きフレームでは、使用する主脚部材、及び又は、第２主脚部材における夫々の左右のパイプ材の斜辺部が上端で結合して一本のパイプ材になり、そこから１本パイプ材で垂直に立ち上がって左右両側の１本パイプ材によるサイドフレームになり、該サイドフレームの上端部が１本のパイプ材による水平なアッパーフレームに連なった構成である。
【発明の効果】
【００１６】
本発明第１の脚装置は、細いパイプ材によって形成した正面から見て縦長又は細い二等辺三角形状をなす底辺部と該底辺部から立ち上がった斜辺部と該斜辺部の上端側に延長形成した２つの垂直部とを備えた主脚部材と、該主脚部材の1本の斜辺部に類似した形態で上端側に１つの垂直部を有する斜辺部状の補助脚部材とを備え、前記３つの垂直部をその上端が平面視略正三角形の頂点をなすように結束し、結束された３つの垂直部に連なる前記主脚部材の斜辺部と補助脚部材が放射状に拡がって自立するように形成したから、前記垂直部の上端に、物載せ用などの台板や天板体、或は、３本のパイプ材で形成したコート掛け本体を載架固定することにより、物載せ台等の家具を構成することが出来る。また、上記第１の脚装置の主脚部材は、ホワイトボード等のパネル家具のパネル体を支持する第２の脚装置に形成できるから、細いパイプ材を用いながらも種々の家具用脚装置として十分な強度を実現し、かつ、斬新な脚デザインの家具を提供することができる。
【図面の簡単な説明】
【００１７】
【図１】本発明第１の脚装置を用いた物載せ台の一例の斜視図。
【図２】図１の物載せ台の正面図。
【図３】図１の物載せ台の右側面図。
【図４】図１〜図３の物載せ台の底面図。
【図５】図１の物載せ台と同じ構成の第１の脚装置を用いたコート掛の斜視図。
【図６】図５のコート掛の右側面図。
【図７】図５，図６のコート掛の底面図。
【図８】本発明第２の脚装置を用いて形成した第１の脚付きフレームにより形成したホワイトボード装置の斜視図。
【図９】図８のホワイトボード装置の右側面図。
【図１０】図８のホワイトボード装置の縦断面図。
【図１１】第１の脚付きフレームを用いてスクリーン又はパーティションを形成した例の斜視図。
【図１２】第１の脚付きフレームの第２主脚部材をテーブルの脚装置に形成した第３の脚装置の斜視図。
【図１３】図１２のテーブルの側面図。
【図１４】図８の第１の脚付きフレームにおける水平アッパーフレームと左右のサイドフレームのパイプ材同士の接合構造例を説明するための要部の斜視図。
【図１５】主脚部材の車輪の取付構造例を説明するための断面図。
【図１６】３本のパイプ材の結束部のカバー形態の例を説明するための斜視図。
【図１７】図１６の樹脂製カバーの要部の断面図。
【図１８】本発明第４の脚装置の第一例を会議テーブルに適用した例の斜視図。
【図１９】図１８の中央縦断拡大側面図。
【図２０】第４の脚装置の第二例をカフェテーブルに適用した例の斜視図。
【図２１】第４の脚装置の第二例を応用して形成した第２の脚付きフレームを用いたスクリーンハパネルの例の斜視図。
【発明を実施するための形態】
【００１８】
次に本発明の実施の形態例について、図を参照しつつ説明する。
図１〜図４において、１は正面から視て縦長の略二等辺三角形状をなす主脚部材で、底辺部１ａとその両端から立上った左右の斜辺部１ｂ，１ｃと、該斜辺部１ｂ，１ｃの上端から垂直に延長された垂直部１ｄ，１ｅとからなる。ここで、図の底辺部１ａと斜辺部１ｂ，１ｃの長さの比率はほぼ１：１．３であるが、脚部材１の前記比率は一例であって本発明では底辺より斜辺が長い略二等辺三角形状であればよい。
【００１９】
２は、前記主脚部材１と一体化して用いる補助脚部材で、この補助脚部材２は前記斜辺部１ｂ，１ｃの傾斜角と略同等乃至少し大きい傾斜角の１本の斜辺部２ａと該斜辺部２ａの上端に延長形成した１本の垂直部２ｂとからなる。
【００２０】
上記主脚部材１の２つの垂直部１ｄ，１ｅと補助脚部材２の１つの垂直部２ｂは、これら３つの垂直部１ｄ，１ｅ，２ｂが平面視略正三角形の頂点に位置するように位置付けられて鋼棒により形成した略三角状の結束部材３により結束固定され、本発明第１の脚装置の一例に形成されている。なお、１ｆ，１ｇは底辺部１ａの下面に設けたアジャスタを含む接地部材、２ｃは補助脚部材２の下端部に設けたアジャスタを含む接地部材である。
前記結束部材３は溶接により３本の前記垂直部１ｄ，１ｅ，２ｂのパイプ材に固定されるから、鋼棒の結束部材３とその溶接部を隠すため、一例として下面に溝ｇを設けて略三角状に形成したパイプ材に見えるメッキ等の外装を施した樹脂製カバーＰＣを、その溝ｇに前記結束部材３がはめ込まれるように被せて取付ける。こうすると前記樹脂製カバーの水平位置より上方からは拘束部材３が見えないため見栄えが良好である。良好な見栄えは、該樹脂製カバーＰＣの各末端を、前記パイプ材の外面曲率に合わせた円弧状の末端形状ｄにしたことも寄与している（図１６、図１７参照）。
【００２１】
上記の本発明第１の脚装置の３本の垂直部１ｄ，１ｅ，２ｂには、その上端に板状の支持部材４を固定して設け、この支持部材４の上に、ここでは円形天板５を載架固定して本発明第１の脚装置を用いた電話台等の物載せ台に形成されている。
【００２２】
図５〜図７は、図１〜図４により説明した本発明第１の脚装置と同じ構成の脚装置を帽子やコート等の衣服を掛けるコート掛に適用した例である。従って、図５〜図７の脚装置の符号には、図１〜図４で用いた符号を同じ意味で用いている。
【００２３】
図５〜図７のコート掛は、本発明脚装置の３本の垂直部１ｄ，１ｅ，２ｂに、上端近傍にコート等の掛止部６ａ〜８ａを形成した３本のパイプ材による柱部材６，７，８の下端部が接続固定されてコート掛に形成されている。ここで、３本の柱部材６〜８の上部は、前記主脚部材１と補助脚部材２の結束部材３と同様に三又状の結束部材９によって溶接により結束一体化されている。この結束部材９も前記例の結束部材３の場合と同じように樹脂製のカバーＰＣを被せて結束部材９とその溶接部を隠している（図１６、図１７参照）。
【００２４】
また、３本の柱部材６〜８の下端部と３本の垂直部１ｄ，１ｅ，２ｂの上端部の接合は、図示しないが、双方のパイプ材に嵌る短い丸鋼棒や短い管による接合用芯材を両部のパイプ材に挿嵌し、該挿嵌部分をパイプ材の外からビス止め又は溶接若しくはビス止めと溶接の併用などによって前記上下端部を一体化している。因みに、図１４はこの部位の接合ではないが、接合用芯材を用いてビス止めと溶接を併用した接合固定の態様を採っている点で共通している。図５、図６においてＣｌは垂直部１ｄ，１ｅ，２ｂと柱部材６〜８の接続境界を示す接続線である。
なお、本発明では、主脚部材１と補助脚部材２のパイプ材の垂直部１ｄ，１ｅ，２ｂをそのまま延長した長さのパイプ材を使用して、前記柱部材６〜８として機能させることもできる。この構成によれば前記接続線Ｃｌは生じない。
【００２５】
図８〜図１０は、上述の本発明第１の脚装置の構成部材である主脚部材１と同一構成の主脚部材１Ｒと、前記主脚部材１における底辺部１ａを除去した形態の第２主脚部材１Ｌにより構成される本発明第２の脚装置を用いて第１の脚付きフレームＦＬを形成し、該第１の脚付きフレームＦＬを用いて形成したホワイトボード装置を説明するための図である。前記主脚部材１Ｒと第２主脚部材１Ｌは、図８〜図１０では、夫々に脚部材１Ｒ、１Ｌとして表示している。
図８〜図１０において、ホワイトボード装置のボード本体１０は、その左右側の縁辺と上部側の縁辺とが、２本の平行なパイプ材により形成された水平なアッパーフレーム１１ａと該アッパーフレーム１１ａと連なった左右側のサイドフレーム１１ｂ，１１ｃによって囲まれている。前記各フレーム１１ａ〜１１ｃを形成する２本のパイプ材は、上記の本発明第１の脚装置のパイプ材と略同径のパイプ材である。
【００２６】
前記第１の脚付きフレームＦＬにおける左右の脚部材１Ｌ，１Ｒにおいて、前記主脚部材１（脚部材１Ｒ）の一方の垂直部１ｄと第２主脚部材（脚部材１Ｌ）の一方の垂直部１ｄとが、その間に存在するサイドフレーム１１ｂ，１１ｃとアッパーフレーム１１ａにおける一方の１本のパイプ材を介して一連に連続し、且つ、前記主脚部材１の他方の垂直部１ｅと第２主脚部材の他方の垂直部１ｅとが、その間に存在する前記サイドフレーム１１ｂ、１１ｃとアッパーフレーム１１ａの他方の１本のパイプ材を介して連続するように形成されているから、当該第１の脚付きフレームＬＦは、１本のパイプ材によるいわば「一筆書き」の形態のフレーム外観に形成される。
【００２７】
前記の水平なアッパーフレーム１１ａは、ボード本体１０の上縁１０ａに結合して該ボード本体１０を吊下げ状に支持する断面大略Ｔ状の支持部材１２を上面から被せて支持部材１２と一体化されている。
前記左右のサイドフレーム１１ｂ，１１ｃは、前記主脚部材１Ｒと第２主脚部材１Ｌの上端の垂直部１ｄ，１ｅから垂直上向きに延びた２本のパイプ材が形成し、その上端側が水平方向に曲げられて形成された上位接続部１１０ｂ，１１０ｃにおいて水平なアッパーフレーム１１ａに接続されている。従って前記アッパーフレーム１１ａも２本のパイプ材により形成されている。
前記接続部１１０ｂ，１１０ｃのパイプ材同士の接続は、図１４に概要を示したように、両側のパイプ材に挿嵌される丸鋼棒（又は、丸管）による接続用芯材Ｊｍをビス止めＢｉ、又は溶接Ｂｅ、若しくはこれらの併用によって前記アッパーフレーム１１ａと左右のサイドフレーム１１ｂ，１１ｃの平行なダブルのパイプ材が接続されている。この接続部は前記支持部材１２の内側に位置するから外部に接続線Ｃｌが露出しない。
【００２８】
左右のサイドフレーム１１ｂ，１１ｃの下端側は、垂直部１ｄ，１ｅとの接続部１１１ｂ，１１１ｃの少し上方において、ボード本体１０の下端部１０ｂの内部を貫通した下部支持体１３の長さ方向の両端部に形成された平面視略Ｔ状の結合部１３ａ，１３ｂで左右のサイドフレーム１１ｂ，１１ｃに結合されている。
また、上記サイドフレーム１１ｂ，１１ｃの下端は、先に説明した主脚部材１と同構成の主脚部材１Ｒと第２主脚部材１Ｌの双方の垂直部１ｄ，１ｅに接続されている（図８参照）。
【００２９】
ここで、前記第１の脚付きフレームＦＬにおいて、図８の左側の第２主脚部材１Ｌは、先に述べた主脚部材１における左右の斜辺部１ｂ，１ｃと同様の２つの斜辺部１ｂ，１ｃを有するが、底辺部１ａを具備しない。このため第２主脚部材１Ｌは、その垂直部１ｄ，１ｅより低い位置の斜辺部１ｂ，１ｃの上部に、平面視略凹状の移動用ハンドルを兼用する結合部材１４を設け、２つの斜辺部１ｂ，１ｃの一体化を図っている。なお、前記第１の脚付きフレームＦＬは、第２主脚部材１Ｌを用いず、左右の脚部材とも底辺部を有する主脚部材１と同じ構成の主脚部材１Ｒを用いる形態としてもよい。またこれとは逆に、左右両側に第２主脚部材１Ｌを用いる形態もある。
【００３０】
図８における右側の脚部材１Ｒは、先の実施例の主脚部材１と同様に底辺部１ａと２本の斜辺部１ｂ，１ｃから成る縦長二等辺三角形状の脚部材であるが、前記底辺部１ａに装着した２個の移動用の車輪１５と前記斜辺部１ｂ，１ｃの上端側を延長した垂直部１ｄ，１ｅを備えており、該垂直部１ｄ，１ｅの上端部において前記サイドフレーム１１ｂの下端接続部１１１ｂと接続されている。第２主脚部材１Ｌの２つの斜辺部１ｂ,１ｃの上端の垂直部１ｄ，１ｅも、他方のサイドフレーム１１ｃの２本のパイプ材に接続部１１１ｃで接続されている。
以上により第１の脚付きフレームＬＦは、図８〜図１０に例示したホワイトボード装置を形成している。
【００３１】
次に、前記第１の脚付きフレームＬＦの脚部材１Ｒの底辺部１ａに設けた車輪１５の取付態様の例を図１５により説明する。
前記車輪１５は、車輪の中心部に備える軸受１５ａに設けた車輪の左右側の外面に出る軸１５ｂを有する軸付き車輪である。この車輪１５が取付けられる底辺部１ａのパイプ材は、車輪１５の取付部位で切断し、対向した切断開口部Ｃｆに、図１５に示した例では車輪両面の軸１５ｂを保持する短管状の軸受部材Ｓｒが嵌合されている。
嵌合された左右の軸受部材Ｓｒに車輪両面の軸１５ｂを挿入し、この挿入状態をパイプ材の外からねじ込む固定ビスＢｉによって固定し、前記車輪１５が底辺部１ａに回転自在に取付けられる。なお、車輪１５の軸１５ｂの外径と底辺部１ａのパイプ材の内径が同じであれば軸受部材Ｓｒは不要である。
上記のように主脚部材１と同構成の脚部材１Ｒの底辺部１ａのパイプ材を切断して軸付き車輪１５を設けるから、パイプ材の切断線が見えず車輪１５の取付け方が外部からでは判らず外観上きわめて斬新な印象を与える。
【００３２】
上記ホワイトボード装置に適用した第１の脚付きフレームＦＬは、図１１に示すように、フレームからボード本体１０を取り外してしまい、残った上部のアッパーフレーム１１ａと左右のサイドフレーム１１ｂ，１１ｃと上下両部の支持部材１２，１３が形成する枠状体に、例えば伸縮性の織布等Ｆａを張設したり被せたりした形態のスクリーンやパーティションＳＰを形成することが出来る。
【００３３】
なお、本発明では、前記第１、第２の脚装置や第１の脚付きフレーム使用された細いパイプ材を貫通している中空部を利用すると、床又は天板等からの配線を、外部に露出させることなく天板又は床等の上にスマートな形態で導くことができる。また、主脚部材等の斜辺部の上端に形成する垂直部はごく短いか、又は垂直部１ｄ，１ｅを殆んど有しない主脚部材１Ｒと第２主脚部材１Ｌを用いた本発明第２の脚付きフレームもある（図２１参照）。
【００３４】
図１２と図１３は、上記第１の脚付きフレームＦＬの構成部材、具体的には第２主脚部材１Ｌを、テーブルの脚部材に応用した本発明第３の脚装置の一例の斜視図と側面図である。
図１２，図１３において、天板１７は、その左右側の下面に、図８〜図１０で説明したホワイトボード装置に用いた第１の脚付きフレームＦＬにおける図８の第２主脚部材１Ｌと同じ形態の左右の斜辺部１ｂ，１ｃと垂直部１ｄ，１ｅを有する２つの天板用脚部材Ｌ１とＬ２が配置され、この脚部材Ｌ１，Ｌ２によって下から支持されている。
【００３５】
図１２，図１３に示した第３の脚装置では、先に述べた第２主脚部材Ｌ１と同じ構成の左右の脚部材Ｌ１，Ｌ２に次の構成を加えている。すなわち図１３の天板１７の前方側に位置した左右双方の斜辺部１ｃと１ｃは、その下端部が、天板１７に平行なパイプ材による連結部材１８によって結合一体化され、かつ、連結部材１８に、図８のパネル家具と同じ取付構造の車輪１５の２個が架装されているのである。１９は天板１８の前端縁から垂下させた幕部材、２０は左右の脚部材１Ｌ，２Ｌにおいて前後の斜辺部１ｂ，１ｃの垂直部１ｄ，１ｅを結合一体化するための支持部材である。
【００３６】
図１２のテーブルは、その天板１７を、天板下面に設けられた脚装置の支持部材２０に対して例えば天板１７の前方側に起伏自在に設けると、不使用時には天板１７を起立させて収納場所に車輪１５を使って容易に移動させることができる。この場合、天板１７の左右の支持部材２０は図に表れない貫材や枠材等によって結合一体化されている。
ここで、図１１のスクリーンやパーティションＳＰの車輪１５、図１２，図１３のテーブルの車輪１５は、いずれも図１５で説明した取付構造のものである。
【００３７】
以上に説明した本発明脚装置の実施形態の例は、第１〜第３の各脚装置と第１の脚付きフレームを、物置き台、衣服・帽子掛け、ホワイトボード、スクリーンやパーティション、天板折畳みテーブルを例とするか家具に適用したものであったが、本発明は、さらに、１つの主脚部材と１つの第２主脚部材を用いた脚装置、２つの主脚部材を用いた脚装置、２つの第２主脚部材を用いた脚装置によって本発明第４の脚装置を形成し、この第４の脚装置を種々の家具に適用することができる。すなわち、第４の脚装置においては、使用する主脚部材、及び／又は、第２主脚部材の２本又は４本の垂直部が、一纏め状態で支持部材に結束的に固定されることにより、前記主脚部材、及び／又は、前記第２主脚部材がテーブルの天板等の支持脚となるように形成される。
【００３８】
また、本発明では、第２の脚付きフレームを、前述の第１の脚付きフレームと同じように、主脚部材と第２主脚部材を用いて形成するが、左右のサイドフレームとこれらサイドフレームの上端部に架設形態で位置する水平なアッパーフレームが１本パイプ材で形成されている。このサイドフレームとアッパーフレームとが１本パイプ材で径されている点で、第２の脚付きフレームは前記第１の脚付きフレームと異なる。
【００３９】
次に本発明第４の脚装置と第２の脚付きフレームを家具に適用した例を図１８〜図２１により説明する。
図１８の会議テーブルに適用した本発明第４の脚装置の第一例は、図１〜図４で説明した本発明第１の脚装置における主脚部材１の２個を、会議テーブルの大きめの天板２１の左右側下面を支持する脚部材として用いている。前記会議テーブルの図１９の拡大断面図において、２２は主脚部材１の2本の垂直部１ｄ，１ｅを埋設固定した支持部材、２３は天板２１の左右側下面に配置された左右の支持部材２３を連結一体化する連結貫部材、２４は天板下面の周囲において前記左右２つの支持部材２３の外側を囲んで配置された天板補強部材である。
図１９の主脚部材１は、図１の主脚部材１に比べて底辺部１ａの長さが大きいが他の構成は図１の主脚部材１と略同じである。主脚部材１の底辺部１ａの下面にはアジャスタを含む接地部材１ｆ，１ｇが設けられている。
【００４０】
図２０は、図８〜図１１で説明した本発明第２の脚装置における主脚部材１Ｒと第２主脚部材１Ｌを応用展開した本発明第４の脚装置の第二例をカフェテーブルの脚装置に用いた斜視図である。図２０において、２１ａは円形の天板、１Ｒは図１の主脚部材１と同じ主脚部材、１Ｌは図８の第２主脚部材１Ｌと同じ第２主脚部材で、前記主脚部材１Ｒの２本の垂直部１ｄ，１ｅと、前記第２主脚部材１Ｌの２本の垂直部１ｄ，１ｅとは、これら４本の垂直部１ｄ，１ｅの先端を正方形の頂点に位置付けた状態で、図１９の支持部材２２と同様の支持部材（図２０に表れず）に埋設固定して一体化し、前記天板２１ａの下面に固定配されることにより、当該天板２１ａの脚部材として設けられる。図２０において１ｆ，１ｇは、主脚部材１Ｒの底辺部１ａの下面、第２主脚部材の斜辺部１ｂ，１ｃの下端にそれぞれ設けたアジャスタを含む接地部材である。天板２１ａは多角形のものもある。
【００４１】
図２１は、図８〜図１１により説明した第１の脚付きフレームＦＬの主脚部材１Ｒと第２主脚部材１Ｌを用いる点は共通しているが、左右のサイドフレーム１１ｂ，１１ｃと水平なアッパーフレーム１１ａが、１本のパイプ材で形成されている本発明第２の脚付きフレームＦＬｓを用いて形成したスクリーンパネルの斜視図である。図２１において図８〜図１１と同じ部材、同じ部位には同じ符号を用いている。
図２１のスクリーンパネルでは、パネル材Ｐが左右の脚部材１Ｒ，１Ｌの上半部にまで
被っているから、移動用の取っ手Ｈは、サイドフレーム１１ｃに中間部にパネル材Ｐを設けない部位を形成して設置している。図２１において図８〜図１１と同じ部位、同じ部分には同じ符号を用いている。パネル材Ｐとしては織布やネット地等の柔軟地で形成したもののほかパネル状に成形したプラスチック成形体でもよい。
【００４２】
本発明は、以上の通りであるから、細いパイプ材を用いながらも種々の家具用の脚装置や脚付きフレームとして十分な強度を実現しつつ斬新な脚デザインが施された家具を提供することができる。
【符号の説明】
【００４３】
１，１Ｒ  主脚部材
１Ｌ  第２主脚部材
１ａ  底辺部
１ｂ，１ｃ  斜辺部
１ｄ，１ｅ  垂直部
２  補助脚部材
２ａ  斜辺部
２ｂ  垂直部
３  結束部材
４，２０，２２  支持部材
５，１７，２１，２１ａ  天板
【図１】
2017064404.tif 000003
【図２】
2017064404.tif 000004
【図３】
2017064404.tif 000005
【図４】
2017064404.tif 000006
【図５】
2017064404.tif 000007
【図６】
2017064404.tif 000008
【図７】
2017064404.tif 000009
【図８】
2017064404.tif 000010
【図９】
2017064404.tif 000011
【図１０】
2017064404.tif 000012
【図１１】
2017064404.tif 000013
【図１２】
2017064404.tif 000014
【図１３】
2017064404.tif 000015
【図１４】
2017064404.tif 000016
【図１５】
2017064404.tif 000017
【図１６】
2017064404.tif 000018
【図１７】
2017064404.tif 000019
【図１８】
2017064404.tif 000020
【図１９】
2017064404.tif 000021
【図２０】
2017064404.tif 000022
【図２１】
2017064404.tif 000023